(57)【要約】【課題】  ハンドオーバを実施する際に、移動局の処理を軽減し、ハンドオーバを実施するために使われる移動局のリソースを軽減する無線アクセスネットワーク、移動局及びハンドオーバ制御方法を提供すること。【解決手段】  無線アクセスネットワーク装置が、移動局から該移動局と基地局との間の通信リンクにおける無線品質を示す無線品質データを取得する受信部と、前記無線品質データが、所定の条件を満たす場合、前記移動局の周辺セルにおける通信状況の測定を開始させる測定コマンドを生成するコマンド生成部と、前記移動局に、前記測定コマンドを送信する送信部とを備える。【選択図】図２
2011182458.tif 000002
【特許請求の範囲】
【請求項１】
移動局から該移動局と基地局との間の通信リンクにおける無線品質を示す無線品質データを取得する受信部と、
前記無線品質データが、所定の条件を満たす場合、前記移動局の周辺セルにおける通信状況の測定を開始させる測定コマンドを生成するコマンド生成部と、
前記移動局に、前記測定コマンドを送信する送信部とを備えることを特徴とする無線アクセスネットワーク装置。
【請求項２】
移動局から該移動局と基地局との間の通信リンクにおける無線品質を示す無線品質データを取得する受信部と、
前記無線品質データが、所定の条件を満たす場合、前記移動局に対して、該移動局が現在接続している第１セルから、前記第１セルと異なる第２セルへハンドオーバさせる切替えコマンドを生成するコマンド生成部と、
前記移動局に前記切替えコマンドを送信する送信部とを備えることを特徴とする無線アクセスネットワーク装置。
【請求項３】
移動局のハンドオーバ履歴を履歴情報部に備え、
前記切替えコマンド生成部は、前記ハンドオーバ履歴に基づいて、前記第２セルを指定することを特徴とする請求項２に記載の無線アクセスネットワーク装置。
【請求項４】
基地局との間の通信リンクにおける無線品質を測定し、該無線品質を示す無線品質データを得る無線品質測定部と、
無線アクセスネットワーク装置から周辺セルにおける通信状況の測定を開始させる測定コマンドを取得する受信部と、
前記測定コマンドを取得した後に、周辺セルにおける通信状況の測定をする測定部と、
前記無線品質データ及び前記通信状況の測定結果を前記無線アクセスネットワーク装置に送信する送信部とを備えることを特徴とする移動局。
【請求項５】
移動局が、該移動局と基地局との間の通信リンクにおける無線品質を示す無線品質データを取得する工程と、
無線アクセスネットワーク装置が、前記移動局から無線品質データを取得する工程と、
前記無線品質データが所定の条件を満たす場合、無線アクセスネットワーク装置が、前記移動局に対して、該記移動局の周辺セルにおける通信状況の測定を開始させる測定コマンドを生成する工程と、
前記無線アクセスネットワーク装置が、前記移動局に前記測定コマンドを送信する工程と、
前記移動局が、該移動局の周辺セルにおける通信状況の測定をする工程とを含むことを特徴とするハンドオーバ制御方法。
【発明の詳細な説明】
【技術分野】
【０００１】
本発明は、無線アクセスネットワーク装置、移動局及びハンドオーバ制御方法に関する。
【背景技術】
【０００２】
従来の移動通信システムでは、移動局ＵＥが、周辺セルからのリンクの通信状況を測定して、その結果に基づいて無線アクセスネットワーク（Ｒａｄｉｏ  Ａｃｃｅｓｓ  Ｎｅｔｗｏｒｋ、以下、ＲＡＮ）が、移動局ＵＥに対してセルの接続の切替えを指示し、移動局ＵＥが、ＲＡＮからの指示に基づいてセルの接続を切替える事で、ハンドオーバを実施する。
【０００３】
具体的には、図９に示すコンプレストモードを用いて、移動局ＵＥは、周辺セルにおける通信状況として、定期的に該移動局ＵＥと周辺セルとの間のリンクの通信状況（伝搬損失の測定値、受信電力、信号対干渉電力比など）を測定する。コンプレスモードは、ハンドオーバを行うために周辺セルにおける通信状況を測定するために用いられる方法の１つである。
【０００４】
図９を参照してコンプレスモードについて更に説明する。なお、図９（ｂ）は、図９（ａ）の一部を拡大したものである。
【０００５】
移動局ＵＥは、ハンドオーバを実施する際に、周辺セルにおける通信状況を測定する。通常、移動局ＵＥは、通信器を１つのみ備えるため、データ通信中は、周辺セルにおける通信状況を測定できない。そのため、移動局ＵＥと、基地局とのリンク上で所定期間フレームの送信を停止（基地局からの送信を停止）し、送信ギャップを設けることで、その間に、移動局ＵＥは、周辺セルを管理する基地局と、移動局ＵＥとの間のリンクの通信状況を測定する。
【０００６】
例えば、３ＧＰＰにおいては、周辺セルにおける通信状況として、基地局から送信される共通パイロットチャネルの通信状況を測定する。
【０００７】
移動局ＵＥは、自セル及び周辺セルにおける通信状況の測定結果を、定期的又はある条件（例えば、測定値が閾値を上回るなど）を満たした場合に、ＲＡＮに無線インターフェースを介して送信していた。
【０００８】
ＲＡＮは、これらの測定結果から、該移動局ＵＥが現在接続しているセルの接続の切替えの必要性を判断し、適切なタイミングで移動局ＵＥにセルの接続の切替えをさせるコマンドを送信する。このコマンドにより、移動局ＵＥが、セルの接続を切替えることで、従来の移動通信システムでは、ハンドオーバを実施する（例えば、非特許文献１、非特許文献２参照）。
【先行技術文献】
【非特許文献】
【０００９】
【非特許文献１】３ＧＰＰ  ＴＳＧ−ＲＡＮ  ＴＳ２５．２１２  ｖ６．６．０
【非特許文献２】「Ｗ−ＣＤＭＡ移動通信方式」立川敬二監修、ｐ．１４０
【発明の概要】
【発明が解決しようとする課題】
【００１０】
しかしながら、従来の移動通信システムでは、ハンドオーバを実施するために、移動局ＵＥが、自セル及び周辺セルとの通信状況を頻繁に測定する必要があり、そのために移動局ＵＥは、多くの電力等のリソースを費やしていた。
【００１１】
例えば、図９に示すコンプレスモードにおいて、送信ギャップの間に送信される時間分のデータは、送信が可能である時間に高速転送される必要がある。
【００１２】
そのため、従来の移動通信システムでは、送信ギャップの前後に拡散率を落として、電力を上げることにより転送速度、回線品質を確保して、データの高速転送を可能としていた。
【００１３】
このように、従来の移動通信システムでは、ハンドオーバを実施するために、移動局ＵＥが、多くの電力を必要としたため、移動局ＵＥのバッテリを早く消耗してしまうという問題点があった。
【００１４】
また、ハンドオーバを実施するためには、移動局ＵＥが、周辺セルとの通信状況を測定し、基地局に測定結果を送信する必要があり、基地局が、該測定結果に基づいてセルの接続を切替えるコマンドを送信するなど、多くの処理を必要とするという問題点があった。
【００１５】
そこで、本発明は、上述の課題に鑑みてなされたものであり、ハンドオーバを実施する際に、移動局の処理を軽減し、ハンドオーバを実施するために使われる移動局のリソースを軽減する無線アクセスネットワーク装置、移動局及びハンドオーバ制御方法を提供することを目的とする。
【課題を解決するための手段】
【００１６】
本発明の第１の特徴は、無線アクセスネットワーク装置が、移動局から該移動局と基地局との間の通信リンクにおける無線品質を示す無線品質データを取得する受信部と、前記無線品質データが、所定の条件を満たす場合、前記移動局の周辺セルにおける通信状況の測定を開始させる測定コマンドを生成するコマンド生成部と、前記移動局に、前記測定コマンドを送信する送信部とを備えることを要旨とする。
【００１７】
本発明の第２の特徴は、無線アクセスネットワークが、移動局から該移動局と基地局との間の通信リンクにおける無線品質を示す無線品質データを取得する受信部と、前記無線品質データが、所定の条件を満たす場合、前記移動局に対して、該移動局が現在接続している第１セルから、前記第１セルと異なる第２セルへハンドオーバさせる切替えコマンドを生成するコマンド生成部と、前記移動局に前記切替えコマンドを送信する送信部とを備えることを要旨とする。
【００１８】
本発明の第３の特徴は、基地局との間の通信リンクにおける無線品質を測定し、該無線品質を示す無線品質データを得る無線品質測定部と、無線アクセスネットワーク装置から周辺セルにおける通信状況の測定を開始させる測定コマンドを取得する受信部と、前記測定コマンドを取得した後に、周辺セルにおける通信状況の測定をする測定部と、前記無線品質データ及び前記通信状況の測定結果を前記無線アクセスネットワーク装置に送信する送信部とを備えることをことを要旨とする。
【００１９】
本発明の第４の特徴は、ハンドオーバ制御方法であって、移動局が、該移動局と基地局との間の通信リンクにおける無線品質を示す無線品質データを取得する工程と、無線アクセスネットワーク装置が、前記移動局から無線品質データを取得する工程と、前記無線品質データが所定の条件を満たす場合、無線アクセスネットワーク装置が、前記移動局に対して、該記移動局の周辺セルにおける通信状況の測定を開始させる測定コマンドを生成する工程と、前記無線アクセスネットワーク装置が、前記移動局に前記測定コマンドを送信する工程と、前記移動局が、該移動局の周辺セルにおける通信状況の測定をする工程とを含むことを要旨とする。
【発明の効果】
【００２０】
以上説明したように、本発明によれば、ハンドオーバを実施する際に、移動局の処理を軽減し、ハンドオーバを実施するために使われる移動局のリソースを軽減する無線アクセスネットワーク装置、移動局及びハンドオーバ制御方法を提供することができる。
【図面の簡単な説明】
【００２１】
【図１】本発明の第１の実施形態に係る移動通信システムの全体構成図である。
【図２】本発明の第１の実施形態に係る移動通信システムの基地局における機能ブロック図である。
【図３】本発明の第１の実施形態に係る移動通信システムの移動局における機能ブロック図である。
【図４】本発明の第２の実施形態に係る移動通信システムの基地局の機能ブロック図である。
【図５】本発明の変形例に係る移動通信システムの基地局の機能ブロック図である。
【図６】本発明の変形例に係る移動通信システムの移動局の機能ブロック図である。
【図７】本発明の実施形態に係る移動通信システムにおけるハンドオーバ制御方法の動作を示すシーケンスパターン図である。
【図８】本発明の変形例に係る移動通信システムにおけるハンドオーバ制御方法の動作を示すシーケンスパターン図である。
【図９】従来発明を説明するためのコンプレストモードの図である。
【発明を実施するための形態】
【００２２】
（本発明の第１の実施形態に係る移動通信システム）
図１乃至図３を参照して、本発明の第１の実施形態に係る無線アクセスネットワーク装置について説明する。
【００２３】
図１の例では、無線基地局ＮｏｄｅＢ＃１に管理されるセルとの間でリンクが形成された移動局ＵＥは、移動局ＵＥが在圏する無線基地局ＮｏｄｅＢ＃１に管理されるセルと、無線基地局ＮｏｄｅＢ＃２に管理されるセルの無線品質を測定し、無線品質を示すＣＱＩ（Ｃｈａｎｎｅｌ  Ｑｕａｌｉｔｙ  Ｉｎｄｉｃａｔｏｒ）を移動局ＵＥから無線基地局ＮｏｄｅＢ＃１に送信するように構成されている。
【００２４】
図１の例では、移動局ＵＥは、無線基地局ＮｏｄｅＢ＃１のセルとの間でリンクを介して接続している。しかし、無線基地局ＮｏｄｅＢ＃１は、移動局ＵＥからＣＱＩを取得し、ＣＱＩが所定の条件を満たす場合、移動局ＵＥに移動局ＵＥと無線基地局ＮｏｄｅＢ＃１及び無線基地局ＮｏｄｅＢ＃２とを結ぶ複数のリンクの通信状況の測定を開始させる。移動局ＵＥから無線品質の測定結果を受信した無線基地局ＮｏｄｅＢ＃１は、移動局ＵＥと接続する最適のセルを選択し、移動局ＵＥにセルの接続の切替えを指示する。無線基地局ＮｏｄｅＢ＃１より接続の切替えを指示された移動局ＵＥは、現在接続しているセルから、異なるセルへ接続を切替える。これにより、ハンドオーバが実施するように構成されている。
【００２５】
本実施形態に係る無線回線制御局ＲＮＣは、無線基地局ＮｏｄｅＢの上位に位置する装置であり、無線基地局ＮｏｄｅＢと移動局ＵＥとの間の無線通信を制御するように構成されている。本実施形態では、この無線回線制御局ＲＮＣと、無線基地局ＮｏｄｅＢとを合わせて無線アクセスネットワーク装置とする。
【００２６】
移動局ＵＥからＣＱＩを取得して、移動局ＵＥに通信状況の測定を指示する無線アクセスネットワーク装置の機能について図２を用いて更に説明する。なお、図２は、無線基地局ＮｏｄｅＢ＃１について説明するが、本発明に係るアクセスネットワーク装置においては、一部の機能を無線回線制御局ＲＮＣに備えても良く、他の無線基地局ＮｏｄｅＢについても同様の機能を有する。
【００２７】
図２に示すように、無線基地局ＮｏｄｅＢ＃１は、受信部２１１と、多重分離部２２１と、ＣＱＩ処理部２３１と、比較部２４１と、履歴情報部２５１と、コマンド生成部２６１ａと、多重合成部２７１と、送信部２８１とを具備している。
【００２８】
ただし、これらの構成は、必ずしもハードウエアとして独立して存在している必要はない。すなわち、各構成が、合体していてもよいし、ソフトウエアのプロセスによって構成されていてもよい。
【００２９】
受信部２１１は、移動局ＵＥからのリンクを介して移動局ＵＥからリンク信号を受信するように構成されている。
【００３０】
多重分離部２２１は、リンク信号に含まれるユーザデータを受信部２１１から取得するように構成されている。更に、多重分離部２２１は、リンク信号に含まれるＣＱＩを受信部２１１から取得してＣＱＩ処理部２３１に転送するように構成されている。
【００３１】
また、多重分離部２２１は、ＣＱＩを受信部２１１からから取得して、送信部２８１、送受信アンテナ２９１を介し無線回線制御局ＲＮＣに転送するように構成されている。
【００３２】
ＣＱＩ処理部２３１は、瞬時的なデータであるＣＱＩの平均値である平均ＣＱＩを算出し、平均ＣＱＩを比較部２４１に転送する。これにより、比較部２４１は、瞬時的な無線品質データの変化量に左右されずに履歴情報部２５１の履歴情報と比較することができる。ここで、平均ＣＱＩは、必ずしもＣＱＩの平均値である必要はなく、瞬時的な無線品質データの変化を平滑にできればそれでよい。
【００３３】
ここで、ＣＱＩは、フィードバック情報を総じて定義したもので、通信中の高速な伝搬変動（例えば、高速フェージング）に追従するために用いられる。具体的には、ＣＱＩには、移動局ＵＥが瞬時的に測定した信号干渉電力比（以下、ＳＩＲ）、瞬時的な受信電力、瞬時的な伝搬損失等が含まれる。
【００３４】
例えば、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）では、移動局ＵＥが、２値のＳＩＲを測定し、自セルを管理する無線基地局ＮｏｄｅＢ＃１に２値のＳＩＲを送信するように構成されている。
【００３５】
同様にＨＳＤＰＡ（Ｈｉｇｈ−ｓｐｅｅｄ  Ｄｏｗｎｌｉｎｋ  Ｐａｃｋｅｔ  Ａｃｃｅｓｓ）では、移動局ＵＥが、瞬時的なＳＩＲを測定し、無線基地局ＮｏｄｅＢに量子化したＣＱＩを送信するように構成されている。ここでは、ＣＱＩが大きい場合に、移動局ＵＥと、無線基地局ＮｏｄｅＢ＃１のセルとの通信状況がよく、ＣＱＩが小さい場合に通信状況が悪いものと定義する。
【００３６】
比較部２４１は、ＣＱＩ処理部２３１から取得した平均ＣＱＩと、基準値データベース２５１から取得した平均ＣＱＩの閾値とを比較するように構成されている。
【００３７】
平均ＣＱＩが閾値と比べて小さい場合には、比較部２４１は、移動局ＵＥに対して、移動局ＵＥが在圏する複数のセルと移動局ＵＥとの間のリンクにおける通信状況の測定を開始させる測定コマンドの生成命令をコマンド生成部２６１ａに転送する。
【００３８】
一方、平均ＣＱＩが閾値と比べて大きい場合には、比較部２４１は、移動局ＵＥが在圏する複数のセルと移動局ＵＥとの間のリンクにおける通信状況の測定を停止させる測定停止コマンドの生成命令をコマンド生成部２６１ａに転送する。
【００３９】
基準値データベース２５１は、平均ＣＱＩの閾値を備えている。平均ＣＱＩの閾値は、予め決められた値でもよく、また、過去の平均ＣＱＩより算出された基準値であってもよい。また、平均ＣＱＩの閾値は、通信状況の測定開始と終わりとで異なる値であってもよい。
【００４０】
コマンド生成部２６１ａは、比較部２４１から取得した測定コマンドの生成命令に基づいて、移動局ＵＥに対して、移動局ＵＥが在圏する複数のセルと移動局ＵＥとの間のリンクにおける通信状況の測定を開始させる測定コマンドを生成し、測定コマンドを多重合成部２７１に転送するように構成されている。
【００４１】
また、コマンド生成部２６１ａは、比較部２４１から取得した測定停止コマンドの生成命令に基づいて、移動局ＵＥに対して、移動局ＵＥが在圏する複数のセルと移動局ＵＥとの間のリンクにおける通信状況の測定を停止させる測定停止コマンドを生成し、測定コマンドを多重合成部２７１に転送するように構成されている。
【００４２】
多重合成部２７１は、コマンド生成部から取得した測定コマンド又は測定停止コマンドのいずれかの制御コマンドと、送信データを受信し、多重合成し、無線周波数帯の信号に変換する処理を施して送信部２８１に転送するように構成されている。
【００４３】
送信部２８１は、多重合成部２７１及び多重分離部２２１から取得した信号を増幅して、送受信アンテナ２９１を介して移動局ＵＥ及び無線回線制御局ＲＮＣに送信するように構成されている。
【００４４】
図３に、本実施形態に係る移動局ＵＥの概要構成例を示す。図３に示すように、移動局ＵＥは、受信部１０と、多重分離部部１１と、コマンド処理部１２と、ＣＱＩ測定部１３と、ハンドオーバ測定部１４と、ハンドオーバ信号生成部１５と、多重合成部１６と、送信部１７とを具備する。
【００４５】
ただし、これらの構成は、必ずしもハードウエアとして独立して存在している必要はない。すなわち、各構成が、合体していてもよいし、ソフトウエアのプロセスによって構成されていてもよい。
【００４６】
受信部１０は、下りリンクを介して無線アクセスネットワークからＣＱＩ及び物理データを受信するように構成されている。
【００４７】
多重分離部１１は、物理データに含まれるユーザデータを受信部１０から取得するように構成されている。更に、多重分離部１１は、測定コマンドを受信部１０から取得してコマンド処理部１２に転送するように構成されている。
【００４８】
また、多重分離部１１は、ＣＱＩを受信部１０からから取得し、ＣＱＩ測定部及びハンドオーバ測定部に転送するように構成されている。
【００４９】
コマンド処理部１２は、多重分離部１１から取得した制御コマンドが、測定コマンドである場合、移動局ＵＥが在圏する複数のセルと移動局ＵＥとをそれぞれ結ぶリンクの通信状況の測定を開始するよう測定コマンドをハンドオーバ測定部に転送するように構成されている。
【００５０】
コマンド処理部１２は、多重分離部１１から取得した制御コマンドが、測定停止コマンドである場合、移動局ＵＥが在圏する複数のセルと移動局ＵＥとをそれぞれ結ぶリンクの通信状況の測定を停止するよう測定停止コマンドをハンドオーバ測定部に転送するように構成されている。
【００５１】
ＣＱＩ測定部１３は、受信部１０からの電波を受信し、基地局との間の通信リンクにおける無線品質である信号干渉電力比（以下、ＳＩＲ）、受信電力、伝搬損失等を瞬時的に測定し、ＣＱＩ測定結果を多重合成部１６に転送するように構成されている。
【００５２】
ハンドオーバ測定部１４は、受信部１０からの電波を受信し、コマンド処理部１２から受信した制御コマンドが、測定コマンドである場合、移動局ＵＥが在圏する複数のセルと移動局ＵＥとをそれぞれ結ぶリンクの通信状況の測定を行い、ハンドオーバ測定結果をハンドオーバ信号生成部１５に転送するように構成されている。
【００５３】
ハンドオーバ測定部１４は、受信部１０から制御データを受信し、コマンド処理部１２から受信した制御コマンドが、測定停止コマンドである場合、移動局ＵＥが在圏する複数のセルと移動局ＵＥとをそれぞれ結ぶリンクの通信状況の測定を停止するように構成されている。
【００５４】
ハンドオーバ信号生成部１５は、ハンドオーバ測定部１４からハンドオーバ測定結果を受信し、ハンドオーバ測定結果もしくは、無線アクセスネットワークにハンドオーバを指示するハンドオーバコマンドを多重合成部１６に転送するように構成されている。
【００５５】
多重合成部１６は、ＣＱＩ測定部からＣＱＩ測定結果と、ハンドオーバ信号生成部からハンドオーバ測定結果もしくは、ハンドオーバコマンドと、ユーザデータ及び制御データなどの送信データを受信し、多重合成し、無線周波数帯の信号に変換する処理を施して送信部１７に転送するように構成されている。
【００５６】
送信部１７は、多重合成部１６から取得した信号を増幅して、送受信アンテナ１８を介して無線アクセスネットワーク装置に送信するように構成されている。
【００５７】
（本発明の第１の実施形態に係る移動通信システムの作用・効果）
本発明の第１の実施形態に係る無線アクセスネットワーク装置は、移動局ＵＥから無線品質データを取得する受信部２１１と、無線品質データが、所定の条件を満たす場合、移動局ＵＥと無線基地局ＮｏｄｅＢとを結ぶリンクの通信状況の測定を開始させる測定コマンドを生成するコマンド生成部２６１と、移動局ＵＥに、測定コマンドを送信する送信部２８１とを備える。これによれば、移動局ＵＥは、自セル及び周辺セルとの通信状況を頻繁に測定する必要がなくなり、無線品質データが、所定の条件を満たす場合にのみ、自セル及び周辺セルとの通信状況を測定すればよくなる。また、ハンドオーバを実施するための処理を減らすことができる。
【００５８】
つまり、ハンドオーバを実施する際に、移動局ＵＥの処理を軽減し、ハンドオーバを実施するために使われる移動局ＵＥのリソースを軽減することができる。
【００５９】
無線アクセスネットワークを提供することができる。
【００６０】
また、本発明の第１の実施形態に係る移動局ＵＥは、無線品質を測定し、無線品質データを得るＣＱＩ測定部１３と、無線アクセスネットワーク装置から測定コマンドを取得する受信部１０と、無線基地局ＮｏｄｅＢに対するリンクの通信状況を測定するハンドオーバ測定部１４と、無線品質データ及び通信状況の測定結果を無線アクセスネットワーク装置に送信する送信部１７とを備える。これによれば、自セルからの無線品質を測定し、測定結果を無線アクセスネットワークに送信することで、無線アクセスネットワークは、移動局ＵＥからの周辺セルにおける通信状況の測定結果を用いなくても自セルにおける通信状況を把握することができる。
【００６１】
つまり、ハンドオーバを実施する際に、移動局ＵＥの処理を軽減し、ハンドオーバを実施するために使われる移動局ＵＥのリソースを軽減することができる。
【００６２】
（本発明の第２の実施形態に係る移動通信システム）
図４を参照して、本発明の第２の実施形態に係る無線アクセスネットワーク装置について説明する。
【００６３】
図４の例では、無線基地局ＮｏｄｅＢ＃１に備えられる多重分離部２２２、ＣＱＩ処理部２３２、比較部２４２の処理が主に第１実施形態に係る無線アクセスネットワーク装置と異なる。
【００６４】
具体的には、多重分離部２２２は、ＣＱＩを受信部２１２から取得して送信部２８２に転送するように構成されている。
【００６５】
送信部２８２は、ＣＱＩを多重分離部２２２から取得して、ＣＱＩに基づいて送信電力、送信レートを算出し送受信アンテナ２９２を介し無線回線制御局ＲＮＣ及び移動局ＵＥに転送するように構成されている。
【００６６】
また、送信部２８２は、上述した送信電力、送信レート情報をＣＱＩ処理部２３２に転送するように構成されている。
【００６７】
ＣＱＩ処理部２３２は、送信電力、送信レート情報を送信部２８２から取得して、送信電力、送信レートの平均値Ｉを算出し、平均値Ｉを比較部２４２に転送する。ここで、平均値Ｉは、必ずしも送信電力、送信レート情報の平均値である必要はなく、送信電力、送信レート情報の変化を平滑化できればそれでよい。
【００６８】
比較部２４２は、ＣＱＩ処理部２３２から取得した平均値Ｉと、基準値データベース２５２から取得した平均値Ｉの閾値とを比較するように構成されている。
【００６９】
このように、ＣＱＩとして送信電力、送信レートを用いることによっても、移動局ＵＥは、自セル及び周辺セルとの通信状況を頻繁に測定する必要がなくなり、無線品質データが、所定の条件を満たす場合にのみ、自セル及び周辺セルとの通信状況を測定すればよくなる。また、ハンドオーバを実施するための処理を減らすことができる。
【００７０】
つまり、ハンドオーバを実施する際に、移動局ＵＥの処理を軽減し、ハンドオーバを実施するために使われる移動局ＵＥのリソースを軽減することができる。
【００７１】
無線アクセスネットワークを提供することができる。
【００７２】
（本発明の実施形態の変形例に係る移動通信システム）
図５、図６を参照して、本発明の実施形態の変形例に係る無線アクセスネットワーク装置について説明する。
【００７３】
図５の例では、無線アクセスネットワーク装置に履歴情報部２６３ｂが更に備えら得る点で実施形態に係る無線アクセスネットワーク装置と大きく異なる。
【００７４】
具体的には、コマンド生成部２６３ａは、比較部２４３から取得した測定コマンドの生成命令に基づいて、移動局ＵＥに対して、移動局ＵＥが在圏する複数のセルのうち、自セルとは異なるセルへ接続を切替えさせる切替えコマンドを生成し、切替えコマンドを多重合成部２７１に転送するように構成されている。
【００７５】
また、コマンド生成部２６３ａは、履歴情報部２６３ｂから履歴情報を受信するように構成されている。コマンド生成部２６３ａは、履歴情報に基づいて、移動局ＵＥに対して、移動局ＵＥが在圏する複数のセルのうち、自セルとは異なるセルへ接続を切替えさせる切替えコマンドを生成し、切替えコマンドを多重合成部２７３に転送するように構成されている。
【００７６】
具体的には、履歴情報部２６３ｂには、移動局ＵＥのハンドオーバ履歴情報が記載されている。ハンドオーバ履歴情報には、移動局ＵＥがどのセルを介してハンドオーバを実施してきたかが示されている。
【００７７】
これにより、コマンド生成部２６３ａは、同じようなハンドオーバ履歴を持つ移動局ＵＥに当てはめる事で、接続を切替えるセルを指定することができる。
【００７８】
また、履歴情報部２６３ｂには、移動局ＵＥの切替え前のセルに対する切替え後のセルのＣＱＩ比を示す履歴情報が記載されている。
【００７９】
これにより、コマンド生成部２６１ａは、ＣＱＩ比の観点からどのセルを指定するかを指定することができる。
【００８０】
多重合成部２７３は、コマンド生成部から取得した切替えコマンドと、送信データを多重合成し、無線周波数帯の信号に変換する処理を施して送信部２８３に転送するように構成されている。
【００８１】
図６に、本実施形態の変形例に係る移動局ＵＥの概要構成例を示す。図６に示すように、移動局ＵＥは、ハンドオーバ測定部、ハンドオーバ信号生成部を備えず、ハンドオーバ処理部３７とを具備する。
【００８２】
本実施形態の変形例に係る無線アクセスネットワーク装置によれば、多重分離部３１が受信部３０を介して切替えコマンドを取得し、ハンドオーバ処理部３７に切替えコマンドを転送する。
【００８３】
ハンドオーバ処理部３７は、切替えコマンドを多重分離部３１から受信することによりハンドオーバを実施することができる。
【００８４】
このような移動局ＵＥによれば、自セル及び周辺セルとの通信状況を測定する必要がなくなる。
【００８５】
つまり、ハンドオーバを実施する際に、移動局ＵＥの処理を軽減し、ハンドオーバを実施するために使われる移動局ＵＥのリソースを軽減することができる。
【００８６】
（本発明の第１の実施形態に係るハンドオーバ制御方法）
以下、図７を参照して、本実施形態に係るハンドオーバ制御方法について説明する。具体的には、本実施形態に係るハンドオーバ制御方法により、移動局ＵＥがハンドオーバを実施する場合について説明する。
【００８７】
なお、本発明の実施形態に係るハンドオーバ制御方法は、上述した場合だけでなく条件により変更してもよい。
【００８８】
図７に示すように、ステップＳ１００１において、移動局ＵＥと無線基地局ＮｏｄｅＢとの間の通信リンクにおける無線品質を示す無線品質データを取得する。
【００８９】
ステップＳ１００２において、移動局ＵＥは、無線品質データを無線基地局ＮｏｄｅＢに送信する。
【００９０】
ステップＳ１００３において、無線基地局ＮｏｄｅＢは、無線品質データが所定の条件を満たす場合、移動局ＵＥに対して、移動局ＵＥの周辺セルにおける通信状況の測定を開始させる測定コマンドを生成する。
【００９１】
ステップＳ１００４において、無線アクセスネットワーク装置が、移動局ＵＥに測定開始コマンドを送信する。
【００９２】
ステップＳ１００５において、移動局ＵＥが、該移動局ＵＥの周辺セルにおける通信状況の測定をして、測定結果を得る。
【００９３】
ステップＳ１００６において、移動局ＵＥが、周辺セルにおける通信状況の測定結果を無線基地局ＮｏｄｅＢに送信する。
【００９４】
ステップＳ１００７において、無線アクセスネットワーク装置が、測定結果を判断し、移動局ＵＥにハンドオーバを実施させるハンドオーバコマンドを生成する。
【００９５】
ステップＳ１００８において、無線アクセスネットワーク装置が、ハンドオーバコマンドを移動局ＵＥに送信する。
【００９６】
ステップＳ１００９において、移動局ＵＥは、ハンドオーバコマンドをじゅしんして、ハンドオーバを実施する。
【００９７】
（本発明の第１の実施形態に係るハンドオーバ制御方法の作用・効果）
以上説明したように、本発明に係るハンドオーバ制御方法によれば、移動局ＵＥは、自セル及び周辺セルとの通信状況を頻繁に測定する必要がなくなり、無線品質データが、所定の条件を満たす場合にのみ、自セル及び周辺セルとの通信状況を測定すればよくなる。また、ハンドオーバを実施するための処理を減らすことができる。
【００９８】
つまり、ハンドオーバを実施する際に、移動局ＵＥの処理を軽減し、ハンドオーバを実施するために使われる移動局ＵＥのリソースを軽減することができるハンドオーバ制御方法を提供することができる。
【符号の説明】
【００９９】
２１１…受信部
２２１…多重分離部
２３１…ＣＱＩ処理部
２４１…比較部
２５１…基準値データベース
２６１…コマンド生成部
２７１…多重合成部
２８１…送信部
２９１…送受信アンテナ
【図１】
2011182458.tif 000003
【図２】
2011182458.tif 000004
【図３】
2011182458.tif 000005
【図４】
2011182458.tif 000006
【図５】
2011182458.tif 000007
【図６】
2011182458.tif 000008
【図７】
2011182458.tif 000009
【図８】
2011182458.tif 000010
【図９】
2011182458.tif 000011
【手続補正書】
【提出日】平成23年5月27日(2011.5.27)
【手続補正１】
【補正対象書類名】特許請求の範囲
【補正対象項目名】全文
【補正方法】変更
【補正の内容】
【特許請求の範囲】
【請求項１】
無線基地局であって、
移動局に対して該移動局の周辺セルにおける通信状況の測定を開始させる測定コマンドを生成するように構成されているコマンド生成部と、
前記移動局から、前記測定コマンドに基づいて行われた測定結果を取得するように構成されている受信部と、
前記測定結果に基づいて、前記移動局に対してハンドオーバを行うように指示する切替えコマンドを生成するように構成されている切替えコマンド生成部と、
前記移動局が前記無線基地局配下のどのセルを介してハンドオーバを実施してきたかについて示すハンドオーバ履歴を記録するように構成されている履歴情報部とを具備しており、
前記ハンドオーバ履歴は、前記ハンドオーバの実施に用いられるように構成されていることを特徴とする無線基地局。